(57)【要約】【課題】内部回路の特性を維持することができる電子部品パッケージ及びこれを備えた電子機器を提供する。【解決手段】操作信号を出力する操作スイッチ３と、操作信号を入力して動作する電子部品パッケージ４と、電子部品パッケージ４のスイッチ操作側に配置されて操作スイッチ３（スイッチ３Ａ，３Ｂ）に対応する操作ノブ６Ｂ，６Ｃを有するラバー部材６とを備えた遠隔制御用携帯機１において、電子部品パッケージ４は、パッケージ４２によって封止され、パッケージ外に露出する接地用リード４１Ａを有する電子部品４０と、接地用リード４１Ａに接続してパッケージ４２のラバー部材側表面４２Ａを覆う静電気放電用部材８とを有する。【選択図】図１
2008078449.tif 000002
【特許請求の範囲】
【請求項１】
パッケージ材料によって封止され、パッケージ外に露出する接地用リードを有する電子部品と、
前記接地用リードに接続して前記パッケージ材料の少なくとも表面一部を覆う静電気放電用部材と
を備えたことを特徴とする電子部品パッケージ。
【請求項２】
前記静電気放電用部材は、前記接地用リードに一体に形成されているリードフレームの一部である請求項１に記載の電子部品パッケージ。
【請求項３】
前記静電気放電用部材は、前記接地用リードを形成するリードフレームとは別部材によって形成されている請求項１に記載の電子部品パッケージ。
【請求項４】
前記静電気放電用部材は、前記接地用リードを形成するリードフレームに接続片を介して設けられている請求項２又は３に記載の電子部品パッケージ。
【請求項５】
操作信号を出力する操作スイッチと、
前記操作信号を入力して動作する電子部品パッケージと、
前記電子部品パッケージのスイッチ操作側に配置され、前記操作スイッチに対応する操作ノブを有するラバー部材と
を備えた電子機器において、
前記電子部品パッケージは、
パッケージ材料によって封止され、パッケージ外に露出する接地用リードを有する電子部品と、
前記接地用リードに接続して前記パッケージ材料の少なくともラバー部材側表面の一部を覆う静電気放電用部材とを有する
ことを特徴とする電子機器。
【請求項６】
前記電子部品パッケージは、遠隔制御用携帯機に用いるＩＣパッケージからなる請求項５に記載の電子機器。
【発明の詳細な説明】
【技術分野】
【０００１】
本発明は、電子部品パッケージ及びこれを備えた電子機器に関し、特に車両用ドアパネルにおけるドアロック機構の施錠・解錠を電子的に行うための遠隔制御用携帯機に実施して好適な電子部品パッケージ及びこれを備えた電子機器に関する。
【背景技術】
【０００２】
近年、情報通信技術の発達と通信機器の普及を背景として、車両用ドアロック機構の施錠・解錠を行う電子キーシステムが提案されている。
【０００３】
この電子キーシステムは、操作者によって操作されることにより施錠・解錠信号を送信する遠隔制御用携帯機と、この遠隔制御用携帯機から送信される施錠・解錠信号を受信してドアロック機構を施錠・解錠する車両用コントロール装置とから構成されている。
【０００４】
遠隔制御用携帯機は、操作者によって操作されることにより施錠・解錠スイッチ信号を出力する押圧スイッチ（施錠スイッチと解錠スイッチ）と、この押圧スイッチの施錠・解錠スイッチ信号を入力してＩＤコードを含む施錠・解錠制御信号を出力する制御部と、この制御部の施錠・解錠制御信号を入力してＩＤコードを含む施錠・解錠信号を送信する通信部とを備えている。
【０００５】
車両用コントロール装置は、遠隔制御用携帯機から送信された施錠・解錠信号を受信する通信部と、この通信部の施錠・解錠信号に含まれるＩＤコードと予め設定されたＩＤコードとを比較してその結果に基づいて施錠・解錠信号をドアロック駆動回路に出力する制御部とを備えている。
【０００６】
以上の構成において、操作者が遠隔制御用携帯機を操作してドアロック機構を施錠・解錠するための施錠・解錠信号を発生すると、遠隔制御用携帯機から固有のＩＤコードを含んだ施錠・解錠信号が車両用コントロール装置に向けて送信される。車両用コントロール装置は、遠隔制御用携帯機から送信された施錠・解錠信号を受信すると、これら信号に含まれるＩＤコードと予め設定されたＩＤコードとを比較（ＩＤ照合）し、このＩＤ照合の結果に基づいて施錠・解錠信号をドアロック駆動回路に出力する。これにより、ドアロック機構の施錠・解錠が行われる。
【０００７】
ところで、上記した遠隔制御用携帯機において、通信部や制御部を構成する電子部品（ＩＣ）は、エポキシ系樹脂等からなるパッケージによって封止された電子部品パッケージとして携帯機ケースに内蔵されている。
【０００８】
従来、この種の電子部品パッケージは、例えば、電子部品をリードフレーム上に搭載し、全体をエポキシでパッケージしたものがある（特許文献１）。
【０００９】
このような電子部品パッケージを備えた遠隔制御用携帯機においては、押圧スイッチに対応する操作ノブを有するラバー部材の一部を携帯機ケース内に収容し、このラバー部材によって携帯機ケースの内部が封止されている。
【特許文献１】特開平９−２４６９０５号公報
【発明の開示】
【発明が解決しようとする課題】
【００１０】
しかし、特許文献１の電子部品パッケージを備えた遠隔制御用携帯機によると、操作ノブの操作（押圧）によるラバー部材と電子部品パッケージとの摩擦によって電子部品パッケージに静電気が帯電し、内部回路の特性が変化する恐れがあった。
【００１１】
従って、本発明の目的は、内部回路の特性を維持することができる電子部品パッケージ及びこれを備えた電子機器を提供することにある。
【課題を解決するための手段】
【００１２】
（１）本発明は、上記目的を達成するために、パッケージ材料によって封止され、パッケージ外に露出する接地用リードを有する電子部品と、前記接地用リードに接続して前記パッケージ材料の少なくとも表面一部を覆う静電気放電用部材とを備えたことを特徴とする電子部品パッケージを提供する。
【００１３】
（２）本発明は、上記目的を達成するために、操作信号を出力する操作スイッチと、前記操作信号を入力して動作する電子部品パッケージと、前記電子部品パッケージのスイッチ操作側に配置され、前記操作スイッチに対応する操作ノブを有するラバー部材とを備えた電子機器において、前記電子部品パッケージは、パッケージ材料によって封止され、パッケージ外に露出する接地用リードを有する電子部品と、前記接地用リードに接続して前記パッケージ材料の少なくともラバー部材側表面の一部を覆う静電気放電用部材とを有することを特徴とする電子機器を提供する。
【発明の効果】
【００１４】
本発明によると、内部回路の特性が変化する恐れを解消することができる。
【発明を実施するための最良の形態】
【００１５】
[第１の実施の形態]
図１は、本発明の第１の実施の形態に係る電子機器としての遠隔制御用携帯機を説明するために示す図である。図１（ａ）は平面図を、図１（ｂ）は断面図をそれぞれ示す。図２は、本発明の第１の実施の形態に係る電子機器としての遠隔制御用携帯機に用いる電子部品パッケージを説明するために示す断面図である。
【００１６】
〔遠隔制御用携帯機の全体構成〕
図１（ａ）及び（ｂ）において、符号１で示す遠隔制御用携帯機は、ケース２と、操作信号を出力する操作スイッチ３と、操作スイッチ３の操作信号を入力して動作する電子部品パッケージ４と、電子部品パッケージ４等を搭載する回路基板５と、ケース２の内部を封止するラバー部材６とから大略構成されている。
【００１７】
（ケース２の構成）
ケース２は、図１（ａ）及び（ｂ）に示すように、上下２つのケースエレメント２Ａ，２Ｂからなり、全体が例えばＰＢＴ（ポリブチレンテレフタレート）樹脂等の合成樹脂によって形成されている。そして、その内部に電子部品パッケージ４，送受信アンテナ，及びバッテリ（共に図示せず）を含む携帯機部品を収容するように構成されている。ケースエレメント２Ａは、第１貫通孔２０〜第３貫通孔２２を有し、下方に開口する箱体によって形成されている。ケースエレメント２Ｂは、ケースエレメント２Ａにビス（図示せず）によって固定され、上方に開口する箱体によって形成されている。
【００１８】
（操作スイッチ３の構成）
操作スイッチ３は、図１（ｂ）に示すように、スイッチ３Ａ，３Ｂからなり、ケース２内に収容され、かつ回路基板５上に搭載されている。スイッチ３Ａは、押圧部３ａを有し、車両用ドアロック機構（図示せず）を施錠するための施錠（ＬＯＣＫ）用スイッチとして機能し、第１貫通孔２０に対応する位置に配置されている。スイッチ３Ｂは、押圧部３ｂを有し、車両用ドアロック機構を解錠するための解錠（ＵＮＬＯＣＫ）用スイッチとして機能し、第２貫通孔２１に対応する位置に配置されている。スイッチ３Ａ，３Ｂは、共に押圧操作によってスイッチＯＮ状態となり、押圧操作解除によってスイッチＯＦＦ状態となるように構成されている。
【００１９】
（電子部品パッケージ４の構成）
電子部品パッケージ４は、図２に示すように、パッケージ（パッケージ材料）４２によって封止された集積回路（ＩＣ）素子からなる電子部品４０を有し、前述したように回路基板５（図１（ｂ）に示す）上に搭載されている。そして、複数の車両用ドアロック機構（図示せず）を施錠・解錠するための施錠・解錠信号（ＩＤコード信号）を車両用コントロール装置（施錠・解錠装置）に送信するとともに、車両用コントロール装置からのリクエスト信号を受信する通信部としても機能するように構成されている。電子部品パッケージ４には、遠隔制御用携帯機１の制御部として機能する他の電子部品パッケージ（図示せず）が接続されている。パッケージ４２は、全体がエポキシ系樹脂等の合成樹脂によって形成されている。
【００２０】
電子部品４０は、例えば銅合金製のリードフレームのダイパッド４３上に接着されている。電子部品４０には、ボンディングワイヤ７を介して外部接続用リード４１が接続されている。外部接続用リード４１は、接地用リード４１Ａ及び信号入力用リード４１Ｂを含み、リードフレームを折り曲げることにより形成されている。また、外部接続用リード４１は、その一部（インナリード）がボンディングワイヤ７と共にパッケージ４２によって封止されている。接地用リード４１Ａには、パッケージ４２のラバー部材側表面４２Ａに接触させてその略全体を覆う静電気放電用部材８が接続片９を介して一体に設けられている。なお、リードフレームの材料としては、銅合金製の金属材料の他に鉄合金製の金属材料を用いてもよい。
【００２１】
静電気放電用部材８は、外部接続用リード４１と同様に、接続片９と共にリードフレームを折り曲げることにより形成されている。そして、接続片９及び接地用リード４１Ａを介してグランド（ＧＮＤ）に導通するように構成されている。これにより、パッケージ４２（ラバー部材側表面４２Ａ）とラバー部材６との摩擦による静電気の帯電が回避される。
【００２２】
（回路基板５の構成）
回路基板５は、図１（ｂ）に示すように、プリント配線板からなり、ケース２内に収容されている。回路基板５には、操作スイッチ３（スイッチ３Ａ，３Ｂ）及び電子部品パッケージ４の他に、第３貫通孔２２に対応する表示用ランプ（図示せず）等が搭載されている。
【００２３】
（ラバー部材６の構成）
ラバー部材６は、図１（ｂ）に示すように、透明部１０及び不透明部１１を有し、電子部品パッケージ４のスイッチ操作側に配置されている。そして、全体が下方に開口する例えばシリコーンゴム製の箱体によって形成され、その開口部内に回路基板５を装着するように構成されている。透明部１０には、第３貫通孔２２内に臨むランプ光取出用の窓部６Ａが一体に設けられている。不透明部１１には、スイッチ３Ａに対応して第１貫通孔２０を進退可能に挿通する施錠用の操作ノブ６Ｂと、スイッチ３Ｂに対応して第２貫通孔２１を進退可能に挿通する解錠用の操作ノブ６Ｃとが一体に設けられている。また、不透明部１１には、操作ノブ６Ａ，６Ｂの回路基板５側への移動を規制するリブ６０，６１が一体に設けられている。
【００２４】
リブ６０は回路基板５の部品搭載側面に、またリブ６１は静電気放電用部材８のラバー部材側表面にそれぞれ対向する位置に配置されている。これにより、リブ６０が回路基板５の部品搭載側面に、またリブ６１が静電気放電用部材８のラバー部材側表面にそれぞれ当接して操作ノブ６Ｂ，６Ｃの回路基板側への移動が規制され、操作ノブ６Ｂ，６Ｃの復帰（退避）動作が円滑に行われる。
【００２５】
[第１の実施の形態の効果]
以上説明した第１の実施の形態によれば、次に示す効果が得られる。
【００２６】
（１）接地用リード４１Ａに接続片９を介して連接する静電気放電用部材８がパッケージ４２のラバー部材側表面４２Ａの略全体を覆うため、パッケージ４２（ラバー部材側表面４２Ａ）とラバー部材６との摩擦による静電気の帯電が回避される。これにより、遠隔制御用携帯機１における内部回路の特性を維持することができる。
【００２７】
（２）静電気放電用部材８が接地用リード４１Ａに接続片９を介して接続することは、電子部品パッケージ４に対する外来電波などのノイズを遮蔽することができ、電磁シールド効果を期待することができる。
【００２８】
（３）静電気放電用部材８が接地用リード４１Ａに接続片９を介して一体に設けられているため、外部接続用リード４１の折曲形成工程時に静電気放電用部材８を形成することができ、電子部品パッケージ４Ａの組立（製造）工程数を削減することができ、組立作業の簡素化及びコストの低廉化を図ることができる。
【００２９】
[第２の実施の形態]
図３は、本発明の第２の実施の形態に係る電子機器としての遠隔制御用携帯機に用いる電子部品パッケージを説明するために示す断面図である。図３において、図２と同一又は同等の部材については同一の符号を付し、詳細な説明は省略する。
【００３０】
図３に示すように、第２の実施の形態に示す電子部品パッケージ３１は、接地用リード４１Ａに接続片９を介して接続する静電気放電用部材３２として導電性ラベルを用いた点に特徴がある。
【００３１】
このため、静電気放電用部材３２は、全体が接地用リード４１Ａ（リードフレーム）とは別部材によって形成され、パッケージ４２のラバー部材側表面４２Ａに貼付されている。そして、パッケージ４２のラバー部材側表面４２Ａに接触してその全体を覆い、かつ接続片９及び接地用リード４１Ａを介してグランド（ＧＮＤ）に導通するように構成されている。これにより、第１の実施の形態と同様に、パッケージ４２（ラバー部材側表面４２Ａ）とラバー部材６との摩擦による静電気の帯電が回避される。なお、静電気放電用部材３２としては、導電性ラベルの他に導電性シートを用いてもよい。
【００３２】
[第２の実施の形態の効果]
以上説明した第２の実施の形態によれば、第１の実施の形態の効果（１）及び（２）と同様の効果が得られる。
【００３３】
以上、本発明の電子部品パッケージ及びこれを備えた電子機器（遠隔制御用携帯機）を上記の実施の形態に基づいて説明したが、本発明は上記の実施の形態に限定されるものではなく、その要旨を逸脱しない範囲で種々の態様において実施することが可能であり、例えば次に示すような変形も可能である。
【００３４】
（１）各実施の形態では、静電気放電用部材８がパッケージ４２のラバー部材側表面４２Ａの略全体を、静電気放電用部材３２がパッケージ４２のラバー部材側表面４２Ａの全体をそれぞれ覆う場合について説明したが、本発明はこれに限定されず、パッケージの表面全体が覆われていてもよく、またパッケージがラバー部材と接触しないように静電気放電用部材によって覆われていれば、パッケージの表面が静電気放電用部材によって覆われる領域はそのラバー部材側表面の一部でもよい。すなわち要するに、パッケージの少なくとも表面一部が静電気放電用部材によって覆われていればよい。
【００３５】
（２）各実施の形態では、車両用ドアパネルにおけるドアロック機構の施錠・解錠を行うための電子部品パッケージ４及びこれを備えた遠隔制御用携帯機１である場合について説明したが、本発明はこれに限定されず、他のドアパネルにおけるドアロック機構の施錠・解錠を行うための電子部品パッケージ及びこれを備えた遠隔制御用携帯機であっても勿論よい。また、遠隔制御用携帯機に用いる電子部品パッケージ以外の電子部品パッケージ及びこれを備えた電子機器であってもよい。
【００３６】
（３）各実施の形態では、電子部品パッケージ４の通信部が送受信部として機能する遠隔制御用携帯機１である場合について説明したが、本発明はこれに限定されず、電子部品パッケージの通信部が送信部としてのみ機能する遠隔制御用携帯機であっても勿論よい。
【図面の簡単な説明】
【００３７】
【図１】（ａ）及び（ｂ）は、本発明の第１の実施の形態に係る電子機器としての遠隔制御用携帯機を説明するために示す平面図と断面図。
【図２】本発明の第１の実施の形態に係る電子機器としての遠隔制御用携帯機に用いる電子部品パッケージを説明するために示す断面図。
【図３】本発明の第２の実施の形態に係る電子機器としての遠隔制御用携帯機に用いる電子部品パッケージを説明するために示す断面図。
【符号の説明】
【００３８】
１…遠隔制御用携帯機、２…ケース、２Ａ，２Ｂ…ケースエレメント、２０…第１貫通孔、２１…第２貫通孔、２２…第３貫通孔、３…操作スイッチ、３Ａ，３Ｂ…スイッチ、３ａ，３ｂ…押圧部、４，３１…電子部品パッケージ、４０…電子部品、４１…外部接続用リード、４１Ａ…接地用リード、４１Ｂ…信号入力用リード、４２…パッケージ、４２Ａ…ラバー部材側表面、４３…ダイパッド、５…回路基板、６…ラバー部材、６Ｂ，６Ｃ…操作ノブ、８，３２…静電気放電用部材、９…接続片、１０…透明部、１１…不透明部、６０，６１…リブ
【図１】
2008078449.tif 000003
【図２】
2008078449.tif 000004
【図３】
2008078449.tif 000005